(57)【要約】【目的】シリンダー錠は鍵以外でのピッキング等により開錠が可能であり盗難、窃盗等の危険性があり社会不安の一つになっている。ピッキング対策として色々な技術が開発されているが、現状では完全なシリンダー錠の開発を待つ状態である。本発明は上記の欠点を解消する事を目的とした。【構成】シリンダー錠の欠点を解消するために、鍵以外での開錠が不可能な構造とし、また、この鍵には複数の機能を持たせ両方の機能が同時に機能しないと開錠出来ない構造とした。また鍵の複製も容易に出きない構造とし複雑化困難とした。【選択図】  図２
2004251083.tif 000002
【特許請求の範囲】
【請求項１】
シリンダー錠のロータに開錠用カム駆動軸が直結しないでロータを貫通した鍵とカム駆動軸を勘合回転させてロックブロックを移動させる事で開錠するを特徴とする錠と複数機能を持つ鍵。
【請求項２】
前記シリンダー錠のロータを貫通した鍵の先端とカム駆動軸先端に間隔を設けず、直ぐにカム駆動軸と勘合しカム駆動軸を回転させる事が出来る請求項１に記載の錠と複数機能を持つ鍵。
【請求項３】
前記シリンダー錠のローターとカム駆動軸との間に間隙を設け、鍵を開錠方向に回転させる事でロータ内を貫通した鍵とロータがカム駆動軸方向に移動しカム駆動軸と勘合しカム駆動軸の回転をさせる事ができる仕組みで、請求項１と２、に記載の錠と複数機能を持つ鍵。
【請求項４】
前記シリンダー錠の鍵先端とカム駆動軸の間隔の間に仕切板を入れロータが回転しないと鍵先端とカム駆動軸が勘合させる事が出来ない構造とし、ロータが回転することで仕切板が移動し鍵先端とカム駆動軸が勘合出来る仕組みで、請求項１から３に記載の錠と複数機能を持つ鍵。
【請求項５】
前記シリンダー錠のロータの外側に溝を設けシリンダー内に設けられたピンを介してロータに挿入された鍵を開方向に回転させる事によりロータが回転し、鍵とロータがカム駆動軸方向に移動しカム駆動軸と勘合した位置で止まり、さらに鍵を回転させる事によりカム駆動軸を回転させる事が出来る、又は鍵に直接外力を加えてカム駆動軸方向に移動させカム駆動軸と鍵を勘合させ鍵を開方向に回転させカム駆動軸を回転させ、移動したロータを元の位置に戻す為のバネをロータとシリンダーの間に設け、必要に応じカム駆動軸を直接回転させる開閉レバーを設置可能な仕組みで、請求項１から４に記載の錠と複数機能を持つ鍵。
【請求項６】
前記鍵にはシリンダー錠のロータの開錠部と先端部はカム軸先端部と勘合させる勘合部を設け、勘合部は各種形状の勘合組合せを作る事で錠と鍵の一体性を持つ、鍵の本体形状は特に形を限定しない、ロータ部の開錠、カム駆動軸先端との勘合は電子ロック方式でも対応可能な仕組みで、請求項１から５に記載の錠と複数機能を持つ鍵。
【発明の詳細な説明】
【０００１】
【発明の属する技術分野】
本発明は、錠と鍵に関して、シリンダー錠のロータとカム駆動軸を分離し、ロータ内を貫通した鍵をカム駆動軸と勘合させカム駆動軸を回転させるシリンダー錠である。鍵とカム駆動軸の勘合は各種の勘合形式を組み合わせることで、錠と鍵の一体性を持たせる。
【０００２】
【従来の技術】
シリンダー錠はロータにカム駆動軸が直結されておりロータ部の開錠でロータが回転しカム駆動軸が回転され開錠を行う仕組みで有った。
【０００３】
シリンダー錠のロータ部の開錠を困難にするための技術開発は行われて来たが、鍵使用以外の方法でもシリンダー錠のロータの開錠を行う事が出来る。これによりシリンダー錠は盗難、窃盗等の発生が危惧される。
【０００４】
鍵はシリンダー錠ロータ部の開錠用のため、鍵は単純形状のものが多く複製が容易である。
【発明が解決しようとする課題】
【０００５】
本発明は、上記のような従来技術の欠点を解消し、格別な開発技術を要せず、従来の製品と交換が容易に行う事が可能であるシリンダー錠を提供する事を課題とする。
【０００６】
鍵による開錠の際、従来製品同様操作で開錠が可能で、鍵以外の道具では開錠を困難とする。
【課題を解決する為の手段】
本発明の課題は、ロータ２と鍵３を組み合わせて鍵３の先端とカム駆動軸４と勘合させる事で解決される。
【０００７】
鍵以外の方法でロータ部の開錠を行ってもカム駆動軸が回転しない為、鍵先端部をカム駆動軸と勘合させる事で開錠を可能とした。
【０００８】
鍵はロータの開錠部分と先端部にカム駆動軸勘合部を設ける事で形状が複雑化し鍵の複製品の製作が困難となる。
【発明の実施の形態】
以下、本発明にかかるシリンダー錠のロータ部とカム駆動軸分離の作動形態を添付する図を参照しながら詳述する。図１は本発明にかかるシリンダー錠のロータ部とカム駆動軸の分離の構成を示す図である。シリンダー錠はシリンダー１にロータ２が内蔵され、そのロータ２に閉錠バー１０が取り付けられている。ロータ２とシリンダー１との間にロータ２の位置保持用にバネ７を設置する。ロックブロック６を動かす為、ブロック駆動カム５が有りブロック駆動カム５を動かす為にカム駆動軸４がブロック駆動カム５を貫通している。必要な場合はカム駆動軸４に開閉レバー１２を取り付ける。
【０００９】
開錠の為に鍵３をロータ２に挿入すると鍵３のロータ開錠部１１でロータを開錠し鍵３の先端部９がカム駆動軸先端部８と勘合する。
鍵３を開錠方向に回転させる事でカム駆動軸４が回転しブロック駆動カム５を動かしてロックブロック６を開方向に動かす事でシリンダー錠の開錠が行われる。
【００１０】
閉錠の場合は挿入された鍵３を閉錠方向に回転させる事により閉錠バー１０がブロック駆動カム５を動かしてロックブロック６を閉錠方向に動かす。カム駆動軸４に開閉レバー１２を取り付けカム駆動軸４を直接回転させブロック駆動カム５を動かしてロックブロック６を開閉方向に直接動かす事が出来る。鍵先端９とカム駆動軸先端８が勘合している場合は鍵３を閉方向に回す事でも閉錠が出来る。
【００１１】
図２は鍵３以外での開錠をより困難にする為に鍵先端９とカム駆動軸先端８の間に間隔を設けたものである。鍵３を挿入しただけでは鍵先端９とカム軸先端８は勘合しない。開錠の為に鍵３を開錠方向にある角度回転させるとロータ３の外側に設けられた図６の螺旋状の溝Ｂ１６と図７のシリンダー内に設けられたロータ移動用ピン１４によってロータ２と挿入された鍵３がカム駆動軸方向に移動し鍵先端９とカム駆動軸先端８が勘合する。図３はロータ２と鍵３が移動し勘合した状態を波線で示した。勘合位置より鍵３をさらに回転させる事でロータ外側に設けられた図６の溝Ｃ１７と図７のロータ移動用ピン１４に依ってロータ２と鍵３の移動が止まりカム駆動軸４を回転させる動きに変わる。鍵３をさらに回転させる事により鍵３がカム駆動軸４を直接回転させる事により軸が回転しブロック駆動カム５を動かしてロックブッロク６を動かす。
【００１２】
図４は鍵先端部９とカム駆動軸先端８の間に間隔を設けた場合の閉錠の動作状態である。鍵３をロータ２に挿入して閉方向に回転させてもロータ２と鍵３は勘合する方向に移動させず、図６溝Ａ１５と図７のロータ移動用ピン１４によりロータ２は回転するが移動しない。鍵３を閉錠方向に回す事により閉錠バー１０によりブロック駆動カム５を直接押しロックブッロク６を閉錠方向の動かす。その他の動作は図１での説明と同一。
【００１３】
図５は鍵３に複数機能を設けるものであり鍵本体部１３にロータ開錠部１１を設けロータ２の開錠を行う、鍵本体部先端９にカム駆動軸先端８との勘合部を設ける事で複数機能化した鍵である。
【発明の効果】
本発明にかかるシリンダー錠のロータとカム駆動軸分離により鍵使用の開錠以外の方法では開錠困難となる。
【００１４】
鍵先端とカム駆動軸先端に間隔を設ける及び仕切板を設置で鍵以外での開錠がより困難になり各種シリンダー錠に関する信頼性が増大する。
【図面の簡単な説明】
【図１】本発明に関るシリンダー錠のロータとカム駆動軸の分離の構成例を示す構成図である。
【図２】シリンダー錠のロータとカム駆動軸を分離し挿入された鍵先端とカム駆動軸先端に間隔を設けた時の構成図である。
【図３】挿入された鍵先端とカム駆動軸先端に間隔を設けた場合のロータと鍵の移動状態を示した図である。
【図４】挿入された鍵先端とカム駆動軸先端に間隔を設けた場合の閉錠動作の構成図である。
【図５】複数機能を持たせた鍵の機能場所位置を示した図である。
【図６】ロータの外側に移動用の溝構成を示した図である。
【図７】シリンダー内のロータ移動用ピンとロータ溝との関係をした図である。
【符号の説明】
１  シリンダー
２  ロータ
３  鍵
４  カム駆動軸
５  ブロック駆動カム
６  ロックブロック
７  バネ
８  カム駆動軸先端部
９  鍵先端部
１０  閉錠バー
１１  ロータ開錠部の位置
１２  開閉レバー
１３  鍵の本体
１４  ロータ移動用ピン
１５  溝Ａ
１６  溝Ｂ
１７  溝Ｃ
【図１】
2004251083.tif 000003
【図２】
2004251083.tif 000004
【図３】
2004251083.tif 000005
【図４】
2004251083.tif 000006
【図５】
2004251083.tif 000007
【図６】
2004251083.tif 000008
【図７】
2004251083.tif 000009